(57)【要約】【課題】本発明は、大型土嚢袋を安全で且つ大量に効率良く破袋させることができる破袋装置を提供する。【解決手段】収納物が収納された大型土嚢袋１０を破袋させる破袋装置１であって、上方に投入口２１が、下方に排出口２２がそれぞれ形成されている筒状の筐体２と、外周面が間隔をおいて相対するように筐体２の内部に配置され、相対する外周面が排出口２２に向かう下流側に移動される方向にそれぞれ異なる回転速度で回転駆動されるロータリカッタ３ａ及びロータリカッタ３ｂと、回転ドラム２９の外周面に突設された複数の突起部３０とを備え、突起部３０には、大型土嚢袋１０に食い込む先端部（刃先３３ｄ）と、大型土嚢袋１０に対して引き裂く方向に力を作用させる作用面（当接面３３ｅ）とが形成されている。【選択図】図１
2014133195.tif 000002
【特許請求の範囲】
【請求項１】
収納物が収納された大型土嚢袋を破袋させる破袋装置であって、
上方に投入口が、下方に排出口がそれぞれ形成されている筒状の筐体と、
外周面が間隔をおいて相対するように前記筐体の内部に配置され、相対する外周面が前記排出口に向かう下流側に移動される方向にそれぞれ異なる回転速度で回転駆動される一対の回転ドラムと、
前記回転ドラムの外周面に突設された複数の突起部とを具備し、
前記突起部には、前記大型土嚢袋に食い込む先端部と、前記大型土嚢袋に対して引き裂く方向に力を作用させる作用面とが形成されていることを特徴とする破袋装置。
【請求項２】
一対の前記回転ドラムは、互いの回転軸が高低差を付けて軸支され、最外周の軌跡が鉛直方向で重なるように配置されていることを特徴とする請求項１記載の破袋装置。
【請求項３】
一対の前記回転ドラムのいずれかは、上下方向に移動可能であることを特徴とする請求項２記載の破袋装置。
【請求項４】
前記投入口から投入された前記大型土嚢袋を、高い位置に配置された前記回転ドラムの上部周面に導くガイド板を具備することを特徴とする請求項１乃至３のいずれかに記載の破袋装置。
【請求項５】
前記突出部は、地層の掘削に用いられるティースであることを特徴とする請求項１乃至４のいずれかに記載の破袋装置。
【発明の詳細な説明】
【技術分野】
【０００１】
本発明は、大型土嚢袋やフレキシブルコンテナバッグ等の袋を破き、土砂等の収納物を取り出す破袋装置に関する。
【背景技術】
【０００２】
土砂、砂利、採石、コンリートガラ等の所謂バラ物の運搬に、大型土嚢袋やフレキシブルコンテナバッグ等の袋（以下、総称して大型土嚢袋と称す）が用いられている。一般に大型土嚢袋の収納量は、１〜数ｍ３であり、土砂、砂利、採石、コンリートガラ等の収納物が収納された状態では、人力で取り扱うことができない重量になる。従って、大型土嚢袋から収納物を取り出すためには、特許文献１の従来技術に記載されているように、一袋ずつクレーン等で吊り上げ、作業者がカッターナイフを用いて大型土嚢袋の底部を裂いて破袋させ、収納物を取り出していた。
【先行技術文献】
【特許文献】
【０００３】
【特許文献１】特開２００４−５８０４２号公報
【発明の概要】
【発明が解決しようとする課題】
【０００４】
しかしながら、従来技術では、大型土嚢袋を吊り上げた後に、底部を裂いて収納物を取り出し、そして残った大型土嚢袋を取り外すという煩雑な作業を一袋ずつ行う必要があるため、大型土嚢袋を大量に効率良く破袋させることができない。さらに、大型土嚢袋の底部を裂いて収納物を取り出す際に、落下する収納物により作業者が災害に遭う危険性もある。特に収納物が放射性物質に汚染されている場合には、作業者の被ばくという問題も生じ、作業員の被爆量を増やす結果を招いてしまう。
【０００５】
なお、袋を破る破袋装置は、提案されているが（例えば、特許文献１）、小型の家庭用ゴミ袋を対象とするものであり、大型土嚢袋に対応することができない。仮に、特許文献１に示されている破袋装置を大型化したとしても、大型土嚢袋の収納物が土砂、砂利、採石、コンリートガラ等の高硬度の重量物である場合には、破袋する刃に収納物が噛み込んで装置が停止したり、刃自体が破損したりする。また、袋を切り裂いて破袋しているため、刃は鋭利であることが要求されるが、収納物が高硬度の重量物である場合には、刃がすぐに摩耗してしまい、短期間での刃の交換が求められ、メンテナンス作業時間が増大してしまう。特に、収納物が放射性物質で汚染されている場合には、メンテナンスを行う作業員の被爆量を増やす結果を招く。
【０００６】
本発明の目的は、かかる点に鑑みてなされたものであり、その目的とするところは、大型土嚢袋を安全で且つ大量に効率良く破袋させることができる破袋装置を提供することにある。
【課題を解決するための手段】
【０００７】
本発明の破袋装置は、収納物が収納された大型土嚢袋を破袋させる破袋装置であって、上方に投入口が、下方に排出口がそれぞれ形成されている筒状の筐体と、外周面が間隔をおいて相対するように前記筐体の内部に配置され、相対する外周面が前記排出口に向かう下流側に移動される方向にそれぞれ異なる回転速度で回転駆動される一対の回転ドラムと、前記回転ドラムの外周面に突設された複数の突起部とを具備し、前記突起部には、前記大型土嚢袋に食い込む先端部と、前記大型土嚢袋に対して引き裂く方向に力を作用させる作用面とが形成されていることを特徴とする。
さらに本発明の破袋装置において、一対の前記回転ドラムは、互いの回転軸が高低差を付けて軸支され、最外周の軌跡が鉛直方向で重なるように配置されていても良い。
さらに本発明の破袋装置において、一対の前記回転ドラムのいずれかは、上下方向に移動可能に構成されていても良い。
さらに本発明の破袋装置において、前記投入口から投入された前記大型土嚢袋を、高い位置に配置された前記回転ドラムの上部周面に導くガイド板を設けても良い。
さらに本発明の破袋装置において、前記突出部は、地層の掘削に用いられるティースであっても良い。
【発明の効果】
【０００８】
本発明によれば、大型土嚢袋を投入口するだけで、回転速度が速いロータリカッタと、回転速度が遅いロータリカッタとによって引き裂かれるため、大型土嚢袋を安全で且つ大量に効率良く破袋させ、収納物を取り出すことができるという効果を奏する。
【図面の簡単な説明】
【０００９】
【図１】本発明に係る破袋装置の実施の形態の構成を示す側断面図である。
【図２】図１に示すロータリカッタの構成を示す斜視図である。
【図３】図２に示すティース及びティースホルダの構成を示す平面図である。
【図４】図１に示すロータリカッタの上下方向の移動を説明する説明図である。
【図５】本発明に係る破袋装置の実施の形態の制御部の構成を示すブロック図である。
【図６】本発明に係る破袋装置の実施の形態への大型土嚢袋の投入例を示す説明図である。
【図７】本発明に係る破袋装置の実施の形態による大型土嚢袋の破袋の過程を説明する説明図である。
【図８】本発明に係る破袋装置の実施の形態による大型土嚢袋の破袋の過程を説明する説明図である。
【発明を実施するための形態】
【００１０】
次に、本発明を実施するための形態（以下、単に「実施の形態」という）を、図面を参照して具体的に説明する。
本実施の形態の破袋装置１は、土砂、砂利、採石、コンリートガラ等の収納物が収納された大型土嚢袋１０を破袋させ、収納物を取り出すための装置であり、図１を参照すると、上方に投入口２１が、下方に排出口２２がそれぞれ形成されている筒状の筐体２と、筐体２の内部に配置された一対のロータリカッタ３ａ、３ｂとを備えている。一対のロータリカッタ３ａ、３ｂは、回転ドラム２９と、回転ドラム２９の外周面に突設された複数の突起部３０とで構成されている。一対のロータリカッタ３ａ、３ｂは、回転ドラム２９の外周面が間隔をおいて相対すると共に、互いの突起部３０が干渉しない位置に、互いの回転軸が高低差を付けて平行に軸支されている。
【００１１】
突起部３０は、ブレード３１と、ティースホルダ３２と、ティース３３とで構成されている。ロータリカッタ３ａの外周面には、図２に示すように、周方向に沿って多数のブレード３１が放射状に突設されて複数列に整列固定されている。各ブレード３１には、ティースホルダ３２がそれぞれ固設されており、ティースホルダ３２には、地層掘削用のティース３３が脱着可能に挿入支持されている。なお、ロータリカッタ３ｂの外周面にも、ロータリカッタ３ａと同様に、周方向に沿って多数のブレード３１が放射状に突設されて複数列に整列固定され、各ブレード３１には、ティースホルダ３２がそれぞれ固設されており、ティースホルダ３２には、地層掘削用のティース３３が脱着可能に挿入支持されている。また、図２には、１２０°の間隔で配置された１列３枚のブレード３１が、軸方向に取り付け角度を変えながら８列固定されている例が示されているが、ブレード３１（ティース３３）は外周面に満遍なく配置されていれば良く、ブレード３１（ティース３３）の個数やレイアウトは適宜設定することができる。
【００１２】
ティース３３は、図３を参照すると、平板状の刃部３３ａと、刃部３３ａと一体に形成された平板状の取付け基部３３ｂとを備えており、取付け基部３３ｂには、半円状の凹部３３ｃが切欠形成されている。刃部３３ａの先端には、刃先３３ｄが刃部３３の厚み方向に形成されている。刃部３３ａの先端に形成された刃先３３ｄは、大型土嚢袋１０に食い込む先端部として機能する。また、刃先３３ｄから基部３３ｂに向けて当接面３３ｅが形成されている。当接面３３ｅは、切り裂く機能のない、刃が形成されていない平面や曲面であり、大型土嚢袋１０に対して引き裂く方向に力を作用させる作用面として機能する。また、ティースホルダ３２は、ティース３３の取付け基部３３ｂの挿入が可能な溝部３２ａと、貫通孔３２ｂとが設けられている。そして、ティース３３は、取付け基部３３ｂをティースホルダ３２の溝部３２ａ内に挿入して、凹部３３ｃを挿通するノックピン６を貫通孔３２ｂ内に挿入することで固定される。
【００１３】
図１を参照すると、ロータリカッタ３ａは、Ｔ型フレーム４ａによって軸支され、Ｔ型フレーム４ａを介して筐体２の内壁に取り付けられている。筐体２の内部には、投入口２１から投入された大型土嚢袋１０をロータリカッタ３ａの外周上部に導くガイド板２３が取り付けられており、ロータリカッタ３ａは、図１に矢印Ａで示すように、外周上部がロータリカッタ３ｂとの間隙Ｗに向かう方向に、図示しないモータによって回転駆動されている。従って、投入口２１から投入され、ガイド板２３に導かれてロータリカッタ３ａの外周上部に到達した大型土嚢袋１０には、大型土嚢袋１０の自重によってティース３３の刃先３３ｄが食い込む。そして、大型土嚢袋１０は、ロータリカッタ３ａの回転に伴い、ロータリカッタ３ｂとの間隙Ｗに送り込まれる。
【００１４】
ロータリカッタ３ｂは、Ｔ型フレーム４ｂによって軸支され、ロータリカッタ３ａよりも低い位置にＴ型フレーム４ｂを介して筐体２内部に取り付けられ、ロータリカッタ３ａに対して斜め下方に間隔をおいて相対されている。また、ロータリカッタ３ａとロータリカッタ３ｂとは、最外周（ティース３３の先端）の軌跡が鉛直方向で重なるように配置されている。すなわち、図１に矢印Ｂで示す垂直投影方向に対して隙間をなく配置されている。この構成により、ロータリカッタ３ａの回転によって、ロータリカッタ３ｂとの間隙Ｗに送り込まれた大型土嚢袋１０が、内容物が少なく想定している大きさよりも小さい場合でも、ロータリカッタ３ａとロータリカッタ３ｂと間隙Ｗをすり抜けてしまうことがなく、ロータリカッタ３ｂの上部周面に到達する。これにより、大型土嚢袋１０には、大型土嚢袋１０の自重によって、ロータリカッタ３ｂのティース３３の刃先３３ｄが食い込むことになる。
【００１５】
ロータリカッタ３ｂは、図１に矢印Ｃで示すように、外周上部がロータリカッタ３ａとの間隙Ｗに向かう方向に、図示しないモータによって回転駆動されている。これにより、ロータリカッタ３ａとロータリカッタ３ｂとの間隙Ｗでは、ロータリカッタ３ａとロータリカッタ３ｂとの相対するいずれの外周面も、同方向の排出口２２に向かう下流側に移動されることになる。
【００１６】
ロータリカッタ３ｂの回転速度は、ロータリカッタ３ａの回転速度よりも速く設定されており、ロータリカッタ３ａとロータリカッタ３ｂとの間隙Ｗにおいて、それぞれの外周面に設けられたティース３３の移動速度に速度差が生じる構成になっている。そして、回転速度がロータリカッタ３ａに比べて速いロータリカッタ３ｂには、大型土嚢袋１０に対して引き裂く方向に力を作用させる作用面として機能する当接面３３ｅがロータリカッタ３ｂの回転方向とは反対方向に向けてティース３３が取り付けられている。また、回転速度がロータリカッタ３ａに比べて速いロータリカッタ３ｂでは、大型土嚢袋１０に対して引き裂く方向に力を作用させる作用面として機能する当接面３３ｅがロータリカッタ３ｂの回転方向に向けてティース３３が取り付けられている。従って、ロータリカッタ３ａのティース３３とロータリカッタ３ｂのティース３３とは、互いに刃先３３ｄが食い込んだ状態で、互いの当接面３３ｅが離れる方向に移動する。これにより、大型土嚢袋１０には、互いの当接面３３ｅから引き裂く方向に力が作用され、大型土嚢袋１０が破袋されることになる。なお、回転速度がロータリカッタ３ａに比べて速いロータリカッタ３ｂでは、当接面３３ｅが回転方向に対して鋭角になるようにティース３３が取り付けられ、回転速度がロータリカッタ３ｂに比べて遅いロータリカッタ３ａでは、当接面３３ｅが回転方向に対して鈍角になるようにティース３３が取り付けられている。これにより、大型土嚢袋１０に食い込んだロータリカッタ３ａのティース３３とロータリカッタ３ｂのティース３３とは、回転に伴って抜けることがない。
【００１７】
ロータリカッタ３ａを軸支するＴ型フレーム４ａには、ロータリカッタ３ａに整列固定されているブレード３１間に進入して、破袋してまとわりついた大型土嚢袋１０を掻き落とすくし歯状の掻き落とし板４１が取り付けられている。同様に、ロータリカッタ３ｂを軸支するＴ型フレーム４ｂには、ロータリカッタ３ｂに整列固定されているブレード３１間に進入して、破袋してまとわりついた大型土嚢袋１０を掻き落とすくし歯状の掻き落とし板４１が取り付けられている。
【００１８】
ロータリカッタ３ｂを軸支するＴ型フレーム４ｂは、上下方向に移動可能に構成され、ロータリカッタ３ｂとロータリカッタ３ａとの間隙Ｗを調整することができるようになっている。すなわち、図１に示す状態から矢印Ｄで示す下方向にＴ型フレーム４ｂを移動させることで、図４に示すように、ロータリカッタ３ｂが下方向に移動され、ロータリカッタ３ｂとロータリカッタ３ａとの間隙Ｗを広げることができる。また、図４に示す状態から矢印Ｅで示す下方向にＴ型フレーム４ｂを移動させることで、図１に示すように、ロータリカッタ３ｂが上方向に移動され、ロータリカッタ３ｂとロータリカッタ３ａとの間隙Ｗを狭めることができる。この構成により、大型土嚢袋１０の収容物の量が異なっていたり、大型土嚢袋１０自体の大きさが異なっていたりして、大型土嚢袋１０の見かけ上の大きさが変化する場合にも、ロータリカッタ３ａとロータリカッタ３ｂとの間隙Ｗを調整することで、大きさの変化に対応が可能になる。また、ロータリカッタ３ｂは上下方向に移動されるため、最外周（ティース３３の先端）の軌跡の鉛直方向における重なりが、どのように間隙Ｗを調整しても維持される。従って、どの間隙Ｗに調整しても、大型土嚢袋１０がロータリカッタ３ａとロータリカッタ３ｂと間隙Ｗをすり抜けてしまうことがない。
【００１９】
破袋装置１は、図５を参照すると、回転速度差の設定と、回転速度の調整指示とを受け付ける操作部５と、ロータリカッタ３ａを回転駆動するモータ６ａ及びロータリカッタ３ｂを回転駆動するモータ６ｂの回転速度を制御するモータ制御部７とを備えている。破袋装置１では、ロータリカッタ３ａとロータリカッタ３ｂとに回転速度差が発生していれば、大型土嚢袋１０を引き裂いて破袋させることができる。また、ロータリカッタ３ａとロータリカッタ３ｂとの回転速度差は、大型土嚢袋１０の大きさや材質、また、収納物の種類に応じて適宜設定できると好適である。そこで、破袋装置１では、モータ制御部７において、操作部５によって設定された回転速度差を保ちつつ、操作部５からの調整指示に基づいてロータリカッタ３ａ及びロータリカッタ３ｂの回転速度を変更する構成になっている。なお、ロータリカッタ３ａの回転速度差とロータリカッタ３ｂの回転速度とをそれぞれ同率して設定できるように構成しても良い。この場合には、ロータリカッタ３ａとロータリカッタ３ｂとの回転速度差を算出して、表示手段等で操作者に報知するように構成すると良い。
【００２０】
次に、本実施の形態の破袋装置１の動作について図６及び図８を参照して詳細に説明する。
破袋装置１への大型土嚢袋１０の投入は、図６に示すように、トラック８が破袋装置１の投入口２１に至る通路を形成することで、トラック８の荷台から直接行うことができる。従って、大型土嚢袋１０をクレーンで吊り下げる作業等が必要ないため、大幅に作業量を軽減させることが可能になる。
【００２１】
投入口２１から投入された大型土嚢袋１０は、ガイド板２３によって導かれてロータリカッタ３ａの外周上部に到達し、図７（ａ）に示すように、ロータリカッタ３ａの外周上部に到達した大型土嚢袋１０には、ティース３３の刃先３３ｄが食い込む。
【００２２】
次に、大型土嚢袋１０は、ロータリカッタ３ａの回転によって、ロータリカッタ３ｂとの間隙Ｗに送り込まれ、図７（ｂ）に示すように、ロータリカッタ３ｂのティース３３の刃先３３ｄが食い込む。ここで、ロータリカッタ３ｂの回転速度は、ロータリカッタ３ａの回転速度よりも速く設定され、ロータリカッタ３ｂでは、刃先３３ｄから基部３３ｂに向けて形成されている当接面３３ｅが回転方向に対して鋭角になるようにティース３３が取り付けられ、回転速度がロータリカッタ３ｂに比べて遅いロータリカッタ３ａでは、刃先３３ｄから基部３３ｂに向けて形成されている当接面３３ｅが回転方向に対して鈍角になるようにティース３３が取り付けられている。従って、大型土嚢袋１０には、図８（ａ）に示すように、食い込んだロータリカッタ３ａのティース３３とロータリカッタ３ｂのティース３３とによって、引き裂かれる方向の力が作用する。そして、図８（ｂ）に示すように、大型土嚢袋１０は、破袋され、収納物が取り出され、排出口２２から排出される。排出口２２の下方には、収納物を搬送するベルトコンベア等を設置しておくことで、大型土嚢袋１０を連続して破袋させることができる。なお、ロータリカッタ３ａのティース３３及びロータリカッタ３ｂのティース３３に破袋してまとわりついた大型土嚢袋１０の残骸１０ａは、回転方向下流側にそれぞれ設置されている掻き落とし板４１によって掻き落とされる。
【００２３】
以上説明したように、本実施の形態は、収納物が収納された大型土嚢袋１０を破袋させる破袋装置１であって、上方に投入口２１が、下方に排出口２２がそれぞれ形成されている筒状の筐体２と、外周面が間隔をおいて相対するように筐体２の内部に配置され、相対する外周面が排出口２２に向かう下流側に移動される方向にそれぞれ異なる回転速度で回転駆動されるロータリカッタ３ａ及びロータリカッタ３ｂと、回転ドラム２９の外周面に突設された複数の突起部３０とを備え、突起部３０には、大型土嚢袋１０に食い込む先端部（刃先３３ｄ）と、大型土嚢袋１０に対して引き裂く方向に力を作用させる作用面（当接面３３ｅ）とが形成されている。
この構成により、大型土嚢袋１０を投入口２１に投入するだけで、回転速度が速いロータリカッタ３ｂのティース３３と、回転速度が遅いロータリカッタ３ａのティース３３とによって、人手を介することなく大型土嚢袋１０を引き裂いて大量に効率良く破袋させることができる。従って、大型土嚢袋１０の収納物と作業者との接触を最小限することができるため、仮に大型土嚢袋１０の収納物が放射性物質で汚染されている場合でも、作業員の被爆量を最小限に留めることが可能になる。
また、突起部３０（ティース３３）によって大型土嚢袋１０を引き裂くように破袋させるため、突起部３０（ティース３３）が収納物に直接接触する機会が減って摩耗を防止することができると共に、突起部３０（ティース３３）の先端部（刃先３３ｄ）が多少摩耗しても機能が低減することはなく、メンテナンス時間の削減が期待できる。
さらに、ロータリカッタ３ａ及びロータリカッタ３ａは、相対する外周面が排出口２２に向かう下流側に移動される方向にそれぞれ異なる回転駆動されているため、ロータリカッタ３ａとロータリカッタ３ａとの間隙Ｗに収納物や大型土嚢袋１０の残骸１０ａが停滞して閉塞されたりする虞がない。
【００２４】
さらに、本実施の形態によれば、ロータリカッタ３ａ及びロータリカッタ３ｂは、互いの回転軸が高低差を付けて軸支され、最外周の軌跡が鉛直方向で重なるように配置されている。
この構成により、内容物が少なく想定している大きさよりも小さい大型土嚢袋１０でも、ロータリカッタ３ａとロータリカッタ３ｂと間隙Ｗをすり抜けてしまうことがなく、破袋させることができる。
【００２５】
さらに、本実施の形態によれば、ロータリカッタ３ｂは、上下方向に移動可能に構成されている。
この構成により、ロータリカッタ３ａとロータリカッタ３ｂとの間隙Ｗを調整することができる。従って、大型土嚢袋１０の収容物の量が異なっていたり、大型土嚢袋１０自体の大きさが異なっていたりして、大型土嚢袋１０の見かけ上の大きさが変化する場合にも、ロータリカッタ３ａとロータリカッタ３ｂとの間隙Ｗを調整することで、大きさの変化に対応が可能になる。また、ロータリカッタ３ｂは上下方向に移動されるため、最外周（ティース３３の先端）の軌跡の鉛直方向における重なりが、どのように間隙Ｗを調整しても維持される。従って、どの間隙Ｗに調整下しても、大型土嚢袋１０がロータリカッタ３ａとロータリカッタ３ｂと間隙Ｗをすり抜けてしまうことがない。
【００２６】
さらに、本実施の形態によれば、投入口２１から投入された大型土嚢袋１０を、高い位置に配置されたロータリカッタ３ａの上部周面に導くガイド板２３が設けられている。
この構成により、大型土嚢袋１０の自重によって、高い位置に配置されたロータリカッタ３ａのティース３３を食い込ませた後に、低い位置に配置されたロータリカッタ３ｂのティース３３を食い込ませることができる。これにより、ロータリカッタ３ａ及びロータリカッタ３ｂのそれぞれのティース３３が大型土嚢袋１０に確実に食い込み、大型土嚢袋１０の破袋を確実に行うことができる。
【００２７】
さらに、本実施の形態によれば、ロータリカッタ３ａ及びロータリカッタ３ｂのそれぞれのティース３３は、地層の掘削に用いられるティースで構成されている。
この構成により、ティース３３はもともと岩石等を破砕するためのものであり、大型土嚢袋１０の収納物が岩石等の硬度の高い物であっても損傷を受けることがない。
【００２８】
以上、本発明を実施の形態をもとに説明した。この実施の形態は例示であり、それらの各構成要素の組み合わせ等にいろいろな変形例が可能なこと、またそうした変形例も本発明の範囲にあることは当業者に理解されるところである。
例えば、本実施の形態では、低い位置に配置されたロータリカッタ３ｂの回転速度をロータリカッタ３ａよりも速く設定したが、ロータリカッタ３ｂの回転速度をロータリカッタ３ａよりも速く設定しても良い。この場合には、回転速度がロータリカッタ３ｂに比べて速いロータリカッタ３ａでは、刃先３３ｄが回転方向を向くようにティース３３を取り付け、回転速度がロータリカッタ３ａに比べて遅いロータリカッタ３ｂでは、刃先３３ｄが回転方向とは逆方向を向くようにティース３３が取り付ける。
また、上述の実施の形態では、ロータリカッタ３ａとロータリカッタ３ｂとを同一構成とし、逆方向に回転させている。従って、ティース３３のメンテナンスを共通化でき、メンテナンスにかかる手間を軽減させることができる構成になっている。これに対し、ロータリカッタ３ａとロータリカッタ３ｂとで異なる径にしたり、ブレード３１のレイアウトやティース３３の形状等を異なるようにしたりしても良い。
また、上述の実施の形態では、ロータリカッタ３ａとロータリカッタ３ｂとを平行に配置したが、ロータリカッタ３ａとロータリカッタ３ｂとを斜めに、すなわちロータリカッタ３ａとロータリカッタ３ｂとの間隙が軸方向で異なるように配置しても良い。この場合には、大型土嚢袋１０に引き裂かれる力が軸方向にも作用し、より効果的に大型土嚢袋１０を破袋させることが可能になる。
また、上述の実施の形態では、低い位置に配置されたロータリカッタ３ｂを上下方向に移動可能に構成したが、高い位置に配置されたロータリカッタ３ａを上下方向に移動可能に構成しても良い。
さらに、上述の実施の形態では、回転ドラム２９の外周面に突設された複数の突起部３０として、地層の掘削に用いられるティース３３を用いたが、鋼棒や厚めの鋼板を用いても一定の効果を得ることができる。例えば、鋼棒を突起部３０として用いた場合には、鋼棒の端部が大型土嚢袋１０に食い込む先端部として、周面が大型土嚢袋１０に対して引き裂く方向に力を作用させる作用面としてそれぞれ機能することになる。また、鋼板を突起部３０として用いた場合には、端辺が大型土嚢袋１０に食い込む先端部として、１端面が大型土嚢袋１０に対して引き裂く方向に力を作用させる作用面としてそれぞれ機能することになる。
【符号の説明】
【００２９】
１  破袋装置
２  筐体
３ａ、３ｂ  ロータリカッタ
４ａ、４ｂ  Ｔ型フレーム
５  操作部
６ａ、６ｂ  モータ
７  モータ制御部
８  トラック
１０  大型土嚢袋
１０ａ  残骸
２１  投入口
２２  排出口
２３  ガイド板
２９  回転ドラム
３０  突起部
３１  ブレード
３２  ティースホルダ
３２ａ  溝部
３２ｂ  貫通孔
３３  ティース
３３ａ  刃部
３３ｂ  基部
３３ｃ  凹部
３３ｄ  刃先
３３ｅ  当接面
４１  掻き落とし板
【図１】
2014133195.tif 000003
【図２】
2014133195.tif 000004
【図３】
2014133195.tif 000005
【図４】
2014133195.tif 000006
【図５】
2014133195.tif 000007
【図６】
2014133195.tif 000008
【図７】
2014133195.tif 000009
【図８】
2014133195.tif 000010